(57)【要約】【課題】画像でデータが記録されているＣＤのデータを効率よく確認する事とハードディスクの記憶容量を減らすことを目的とする。【解決手段】バーコードリーダー部、バーコードのエンコード及びデコード部、記憶部、ＣＤ−Ｒドライブ等のメディア書込み部、制御部、表示部、プリンター制御部によって構成され、メディアにつけられたバーコードのラベルにより識別しメディアをドライブに挿入する事なく速やかにメディアに記録してある内容を使用者に知らせることが可能となった。【選択図】        図１
2004172804.tif 000002
【特許請求の範囲】
【請求項１】
画像データを縮小処理する画像処理手段と上記画像処理により作成されたサムネイルの画像を蓄積しておく記憶手段と画像データをリムーバルな記録メディアに書き込むための記録手段と上記記録メディアを識別するためのデータが記録されているバーコードを読取るバーコードリーダ部と上記バーコードリーダ部を制御するバーコードリーダ制御手段と上記バーコードリーダ制御部から引き渡されたバーコードデータをデコードするデコード手段と上記記憶部ＨＤに所有しているサムネイル画像データを上記バーコードデータを検索条件とする検索手段と上記検索手段により検索されたサムネイル画像データを表示する表示手段を備えたたことを特徴とする画像表示装置。
【発明の詳細な説明】
【０００１】
【発明の属する技術分野】
本発明は、画像表示に関し特に画像データをリムーバルな記録メディアに記録する画像表示装置に関するものである。
【０００２】
【従来の技術】
従来は、ＣＤ等のメディアに記録されている画像データを確認する場合、画像データが記録されているＣＤ等のメディアを画像表示装置に搭載し再生機能をスタートすることにより確認が行われていた。
【０００３】
【発明が解決しようとする課題】
以上のように従来の技術では、メディアの中身を見るときにメディアを装置に搭載しなければならないといった欠点があった。本発明は、メディアを装置に実装せずにメディアの中身を確認することを可能とすることを目的とする。
【０００４】
【課題を解決するための手段】
画像データを縮小処理する画像処理手段と上記画像処理により作成されたサムネイルの画像を蓄積しておく記憶手段と画像データをリムーバルな記録メディアに書き込むための記録手段と上記記録メディアを識別するためのデータが記録されているバーコードを読み取るバーコードリーダ部と上記バーコードリーダ部を制御するバーコードリーダ制御手段と上記バーコードリーダ制御部から引き渡されたバーコードデータをデコードするデコード手段と上記記憶部ＨＤに所有しているサムネイル画像データを上記バーコードデータを検索条件とする検索手段と上記検索手段により検索されたサムネイル画像データを表示する表示手段を備え画像表示装置における新たなメディアの確認方法を可能としたものである。
【０００５】
【発明の実施の形態】
（実施例）
図１は、画像表示装置の構成図である。
【０００６】
本実施例では操作性を向上するため画像表示装置本体１００とリモコン部１０１から構成されているがリモコン部と本体部を一体にした構成でも問題はない。本説明では実施例に従い分割した構成で説明を行う。
【０００７】
画像表示装置１００において、１０２は、記憶部ＨＤ１０７及びＣＤ−ＲＷ部１０８に蓄積している画像データを表示するための表示部であり、１０３は画像データが書き込まれたＣＦ（コンパクトフラッシュ（登録商標））カードでありカードスロット部１０５に挿入され制御部１１２によりデータが読取られ記憶部ＨＤ１０７に書き込まれる。１０４はラベルを印刷するためのプリンターであり、画像表示装置１００内のプリンター制御部１１１と接続されている。１２１は画像表示装置本体１００を無線通信によって制御するリモコン部において、読取るバーコードでありＣＤのメディアを識別するデータがエンコードされている。
【０００８】
画像表示装置本体１００は次のものから構成されている。
【０００９】
１０５はＣＦカード１０３を挿入するためのＣＦカードスロット部であり、１０６は表示部１０２に画像データを表示する為の表示制御部であり、１０７はサムネイル画像データ及びアルバムとして表示する為のアルバム画像データと本体制御用のプログラムが記憶されている記憶部ＨＤであり、１０８は画像データをＣＤに保存及び、ＣＤの画像データを表示するために使用するＣＤ−ＲＷドライブであり、１０９はバーコードのデータにエンコードするエンコード部である。バーコードには様々な規格があるがＣＤを識別できるものであればいずれでもよい。
【００１０】
本実施例では、ＣＤのボリュームラベルをエンコードするための規格は、ＣＯＤＥ１２８を使用している。１１０はリモコンと通信を行うための双方向通信が可能な通信制御部であり、有線無線どちらでもかまわないが、本実施例では操作性を考慮し無線により相互通信を行うものとする。
【００１１】
１１１はＣＤ及びケースのラベルを印刷する為のプリンターインタフェース部あり、本実施例ではセントロニクスインタフェースにより接続している。１２０は記憶部ＨＤ１０７及びＣＤ−ＲＷ部１０８に蓄積している画像データに縮小や色調の処理を制御部１１２にしたがい実行する画像処理部であり、１１２は本体全体を制御する本体制御部である。１０１は、リモコン部であり次のものから構成されている。１１３は制御部１１２の指示によりバーコード１２１を読み取るバーコードリーダ部であり、読取ったデータはリモコン部の通信制御部１１８と画像表示装置本体部の通信制御部１１０を介して制御部１１２へ転送される。１１４はバーコードの読込み結果を知らせるブザー部であり、１１５はバーコードの読込み等の状態を示す赤と緑の２色ＬＥＤである。
【００１２】
１１６はリモコンを操作する操作部であり、１１７はバーコードリーダ部１１３が読み取ったバーコードのデコード部であり、本実施例では、ＣＤのボリュームラベルをデコードするための規格は、ＣＯＤＥ１２８を使用している。１１８は本体と通信するための通信制御部であり、１１９はリモコン全体を制御する制御部である。
【００１３】
装置の使用フローの一例を図２、図３に示す。
【００１４】
図２は本画像表示装置の使用者が画像データを編集する際の作業フローの一例である。
【００１５】
Ｓ２００画像データが記憶されているＣＦカード１０３を本装置本体部のＣＦカードスロット１０５に挿入する。本画像表示装置はＣＦカードが挿入されたことを検知し、表示部１０２に操作画面を表示する。Ｓ２０１リモコンからの操作により制御部を介して、ＣＦカードからアルバム作成する項目を選択する。Ｓ２０２本装置の記憶部ＨＤ１０７のプログラムにより、ＣＦカード１０３内の画像データは、記憶部ＨＤ１０７にコピーされ、記憶部ＨＤ１０７内のデータを使用してアルバム編集を行う。編集終了をリモコンからの操作により制御部に通知すると、表示部１０２に操作画面を表示する。Ｓ２０３表示部１０２の操作画面から、リモコンからの操作により制御部を介してアルバムをＣＤにセーブする項目を選択する。編集されたアルバムのデータはＣＤ−ＲＷ部１０８に挿入されたＣＤに保存される。装置内でのＣＤ書き込み動作については、図４において詳細に説明する。
【００１６】
Ｓ２０４ＣＤに書き込んだデータと同様の画像データを記憶部ＨＤから削除するために、リモコンより画像データの削除のメニューを選択し、実行する。Ｓ２０５リモコン操作により、表示部に表示されているメニューよりラベルを作成する項目を選択する。装置内でのラベル印刷動作については、図５において説明する。
【００１７】
図３は本装置の使用者が画像データを鑑賞する際の作業フローの一例である。Ｓ３００所有しているＣＤの中から見たいＣＤを選択する際、ＣＤのタイトルだけで選択可能であれば、Ｓ３０５の操作へ移行、中の画像データを見て判断する必要があればＳ３０１へ移行する。Ｓ３０１鑑賞したいと思われるＣＤを選択する。Ｓ３０２ラベル印刷によって作成されＣＤに張付けされたバーコードをリモコンのバーコードリーダにより読取る。Ｓ３０３リモコンは読取ったバーコード情報をデコード部１１７によりデコード処理を行い通信制御部１１８を介して画像表示本体部に送信する。リモコンから送信されたバーコード情報を受信した画像表示本体部は、バーコード情報により表示すべきサムネイルのデータを検索し表示部１０２に表示する。
【００１８】
Ｓ３０４使用者は表示部に表示されたサムネイルから鑑賞したい画像データが保存されているＣＤかどうか判断する。鑑賞したい画像が保存されているＣＤであれば、Ｓ３０５へ移行する。期待している画像でなければＳ３０１へ移行し再度選択を行う。Ｓ３０５選択したＣＤを画像表示本体部のＣＤ／ＷＲ部１０８に挿入する。Ｓ３０６ＣＤ／ＲＷ部にＣＤが挿入されたことにより制御部は表示部制御部にアルバム閲覧メニューの指示を送信する。Ｓ３０７表示制御部は制御部の指示をうけ表示部に挿入されているＣＤの画像データを表示する。使用者はリモコンからの操作により、表示部に表示された画像データから閲覧したい画像データを選択する。
【００１９】
図４によりＳ２０２アルバム編集が終了後のＳ２０３アルバムをＣＤに書き込む動作について説明する。Ｓ４００画像表示装置本体部のＣＤ／ＷＲに書き込み可能なＣＤを挿入すると、制御部１１２がＣＤ−ＲＷ部経由でＣＤにボリュウムラベルがあるかをチェックする。
【００２０】
Ｓ４０１ＣＤにボリュームラベルがない場合、画像表示装置本体で自動ボリュームラベルをつけていか使用者に選択させるため、表示部に選択メッセージを表示する。使用者のリモコン操作によって、自動ボリュームラベル付加が選択された場合Ｓ４０２制御部１１２は記憶部ＨＤ１０７にある、過去に採番採番されたボリュウムラベルと重複しないようボリュウムラベルを自動生成しＳ４０６記憶部ＨＤに保存されたアルバムの画像データ全てをＣＤに書込む。
【００２１】
また使用者のリモコン操作によって、任意のラベル付加が選択された場合Ｓ４０３使用者に、希望ボリュウムラベルを要求するメッセージを表示部に表示すると使用者はリモコン操作によって、希望するボリュームラベルを入力し、画像表示装置本体に送信する。Ｓ４０４画像表示装置本体はリモコンからの操作によって受信したボリュームラベルが重複していないか、制御部１１２は記憶部ＨＤに保存されている他のボリュームラベルと比較チェックする。重複していたら、Ｓ４０５再度ボリュームラベル要求の旨を表示部に表示する。画像表示装置本体はボリュームラベルが重複しなくなるまで、この動作を繰り返す。
【００２２】
Ｓ４０４画像表示装置本体はボリュームラベルが重複しないことが確認されたらＳ４０６記憶部ＨＤに保存されたアルバムの画像データ全てをＣＤに書き込む。Ｓ４０７画像表示装置は、記憶部ＨＤに保存されたアルバムの全画像データがＣＤに書き込まれたことを確認すると、全てのアルバム画像データのサムネイル画像データを作成し、画像表示装置本体の記憶部ＨＤに保存する。
【００２３】
Ｓ４０８サムネイルが記憶部ＨＤに保存されたことが確認されると画像表示装置のアルバム画像データを削除しよいか使用者に確認するために表示部にメッセージを表示する。使用者がリモコンの操作によって、削除する方を選択したらＳ４０９ＣＤに書き込みした記憶部ＨＤ１０７に保存されたアルバム画像データを削除する。Ｓ４０８によって削除しないほうを選択したら、記憶部ＨＤに保存しておく。
【００２４】
図５にバーコードが印刷されているＣＤのラベルとケースのジャケットの作成手順について説明する。Ｓ２０５リモコン操作により、表示部に表示されているメニューよりラベルを作成する項目を選択する。Ｓ５００記憶部ＨＤに記憶しているボリュームラベルとそれに対応しているサムネイルを表示部に表示し、リモコンの操作によって、どのＣＤのラベルを作成するかボリュームラベルにより選択する。Ｓ５０１画像表示装置本体はリモコン操作によって選択されたボリュームラベルとサムネイルの情報を記憶部ＨＤに保存されているアプリケーションプログラムであるラベルエディター機能により図６の６０２のようにバーコード情報に変換し、Ｓ５０２バーコードラベルプリンタ部よりバーコード情報を含んだラベルを印刷する。Ｓ５０３作成されたＣＤラベルとケースのラベルを図６に示すように貼る。
【００２５】
図８によりＳ２０２のアルバム編集により編集されたアルバムのファイル構成について説明する。ＣＦカードより読み込まれた画像データはアルバム編集機能によりディレクトリー毎に管理されており、１つのアルバム名称をディレクトリーとし、ＣＦカードより読みこまれた画像Ｓ８０２〜Ｓ８０４とそれぞれに対応するサムネイル画像Ｓ８０５〜Ｓ８０７で構成されている。
【００２６】
Ｓ８０１は本アルバムの主な情報（ＣＤのボリュウムラベル、アルバム掲載の順番、大きさ、位置など）を記憶し管理している。バーコードのデータによる、アルバム内の検索機能は、８０７のファイル内容を検索する事により行う。
【００２７】
図７にバーコードを読んでからサムネイルを表示するまでの装置での処理動作を説明する。
【００２８】
Ｓ７００バーコードリーダ部１１３によりバーコード１２１を読みこむ。Ｓ７０１読み込んだバーコードをデコード部１１７によりデコード処理する。本実施例ではバーコードの規格はＣＯＤＥ１２８とするが、バーコードの規格は様々な規格があり、限定するものではない。Ｓ７０２バーコードデータのチェックデジットの確認を行う。Ｓ７０３データが読み取れたことを使用者に知らせるために、ＬＥＤ部１１５により、緑のＬＥＤを点灯し、ブザー部（１１４）により“ピッ”と音を鳴らす。
【００２９】
Ｓ７０４では、Ｓ７０２の処理により、正常と確認されたバーコードデータを送信する。Ｓ７０５は本体動作フローであり、リモコンからのデータを常時監視しており受信をしたらＳ７０６の処理を行う。Ｓ７０６送られてきたバーコードデータを元に、ＣＤのボリュウムラベルのデータを検索する。Ｓ７０７検索されたファイルがなければＳ７０９の処理を行い、検索されたファイルがあればＳ７０８を処理する。Ｓ７０８検索でピックアップされたサムネイルの画像ファイルを表示する。Ｓ７０９ＣＤのボリュウムラベルがなかったことを表示部１０２に表示する。
【００３０】
【発明の効果】
以上説明したように、本発明によれば、メディアを装置に搭載することなく、バーコードを読むことによりメディアの中身を確認することが可能となり使用者は大幅な時間の削減が図れる。
【図面の簡単な説明】
【図１】本発明の実施例の構成図である
【図２】編集者の作業フローである。
【図３】閲覧者の作業フローである。
【図４】ＣＤの書き込みフローである。
【図５】ラベル印刷フローである。
【図６】ラベルのイメージ図である。
【図７】画像表示動作フロー
【図８】アルバムファイル構成
【符号の説明】
１００  …  画像表示装置本体
１０１  …  リモコン部
１０２  …  表示部
１０３  …  ＣＦカード
１０４  …  バーコードラベルプリンター部
１０５  …  ＣＦカードスロット
１０６  …  表示制御部
１０７  …  記憶部ＨＤ
１０８  …  ＣＤ−ＲＷ部
１０９  …  エンコード部
１１０  …  通信制御部
１１１  …  プリンター制御部
１１２  …  制御部
１１３  …  バーコードリーダ部
１１４  …  ブザー部
１１５  …  ＬＥＤ部
１１６  …  操作部
１１７  …  デコード部
１１８  …  通信制御
１１９  …  制御部
１２０  …  画像処理部
１２１  …  バーコード
【図１】
2004172804.tif 000003
【図２】
2004172804.tif 000004
【図３】
2004172804.tif 000005
【図４】
2004172804.tif 000006
【図５】
2004172804.tif 000007
【図６】
2004172804.tif 000008
【図７】
2004172804.tif 000009
【図８】
2004172804.tif 000010